(57)【要約】【課題】  凸形状の画線により構成された識別マークを備えた識別マーク形成体において、識別マークの触感による識別性を有し、かつ、２方向からの機械読取性を向上させた識別マーク形成体を提供する。【解決手段】  平面形状が矩形で構成された基材の一部に、画線で構成された凸形状の識別要素が、基材を構成する各辺のいずれかの方向に沿って所定の間隔で複数配置されて成る識別マークを備えた識別マーク形成体において、識別要素が機械読取性を有し、さらに、識別要素が配置される方向に対して、直交する方向への正射影が、隣同士の識別要素において接する又は一部重なる構成とする。【選択図】  図４
2019014205.tif 000002
【特許請求の範囲】
【請求項１】
平面形状が矩形で構成された基材の一部に、画線で構成された凸形状の識別要素が、前記基材を構成する各辺のいずれかの方向に沿って所定の間隔で複数配置されて成る識別マークを備えた識別マーク形成体であって、前記識別要素は機械読取性を有し、前記識別要素が配置される方向に対して、直交する方向への正射影が、隣同士の前記識別要素において接する又は一部重なることを特徴とする識別マーク形成体。
【請求項２】
前記識別要素が、前記基材に対して傾斜した直線状の画線により構成されたことを特徴とする請求項１記載の識別マーク形成体。
【発明の詳細な説明】
【技術分野】
【０００１】
本発明は、複数の券種を有する銀行券、金券、有価証券等の貴重印刷物に付与され、視覚障がい者及び健常者が触感で券種を識別することを可能とし、なおかつ自動販売機、現金自動預払機等、市中の現金処理機における券種識別処理性能の向上に寄与するマークを備えた形成体に関するものである。
【背景技術】
【０００２】
従来の銀行券の識別マークは、丸、四角等券種固有の輪郭形状を有する凸形状マークによって構成され、視覚障がい者及び健常者が識別マークの表面を指で触れ、触感（指感性）により識別マークの輪郭を認識して券種を識別するマークである。また、同じ形状の凸形状マークを複数付与し、個数の違いで券種を識別させる識別マークもある。
【０００３】
識別マークは、視覚障がい者及び健常者が触感で券種を識別することのみを目的として付与されているものである。しかし、前述した貴重印刷物は、識別マークの他にも凹版等で付与された凸形状の模様が複数あり、そのような中でどれが識別マークであるかを認識し、更に識別マークの形状を触感で認識することは難しく、時間を要した。この問題を解決するものとして、本出願人は、万線状の凸形状画線で構成されており、しかも凸形状画線にエッジ部を設けることなどで高い指感性が得られる識別マークを提案している（例えば、特許文献１参照）。
【０００４】
また、本出願人は、基材上に、二つの識別領域を万線状の凹凸形状で構成し、両領域を重ね合わせて識別する識別マークを提案している（例えば、特許文献２参照）。なお、特許文献２に記載されている識別マークは、二つの領域に形成した凹凸形状の万線を重ねることで、高い触感（摩擦）が得られるものである。
【０００５】
一方、市中の現金処理機においては、貴重印刷物上に凹版印刷等で付与される印刷画線のインキに含まれる磁性体や赤外線吸収材料を磁気センサ又は光学センサで読み取っており、読み取られた信号から貴重印刷物の券種識別及び真偽判別が行われている（例えば、特許文献３参照）。特許文献３に記載の印刷物は、凹版印刷によって万線状に配置された磁気パターンを形成し、その磁気強度を検出して真偽判別する技術である。なお、特許文献３の印刷物は、機械読取りを課題とした技術であるが、凹版印刷によって盛りのあるパターンを形成していることから、触感による識別も可能である。すなわち、一つの領域に形成したパターンによって、触感による識別と、機械読取りを行うことができ、機能的に優れる。
【先行技術文献】
【特許文献】
【０００６】
【特許文献１】特開２０１５−２０２６５８号公報
【特許文献２】特許第５２２８２３４号公報
【特許文献３】特許第４２３５９６８号公報
【発明の概要】
【発明が解決しようとする課題】
【０００７】
しかしながら、特許文献３の凹凸形状の画線によれば、一つの領域で、触感による識別と、機械読取りを行うことができるが、以下に説明する機械読取手段の条件によって、読取精度が低下するという問題があった。
【０００８】
例えば、特許文献３の印刷物は、図１（ａ）に示すように、貴重印刷物（Ｔ）の基材の短辺方向に凹版画線（Ｉ）が複数配置されて成る磁気パターン（Ｊ）が形成されており、これを現金処理機が備える磁気センサ（Ｓ）の読取領域（Ｒ）が凹版画線（Ｉ）と直交する第１の方向（Ｖ１）に走査する場合は読取りが可能であり、磁気センサ（Ｓ）は図１（ｂ）のような検出出力を得る。また、図２（ａ）に示すように、凹版画線（Ｉ）と平行な第２の方向（Ｖ２）に走査し、かつ、凹版画線（Ｉ）の上を走査した場合には、図２（ｂ）に示すように検出される。しかし、図３（ａ）に示すように、凹版画線（Ｉ）の間を走査した場合には、図３（ｂ）のように検出出力が弱くなるという問題があった。特に、現金処理機に用いられる磁気センサには、検知面積の限界があることや、現金処理機内で搬送誤差が生じており、磁気パターンに対する磁気センサの走査位置は常に変動するため、万線状の磁気パターンに対して磁気センサが平行に走査する場合には、図２（ａ）と図３（ａ）のどちらになるか予測ができないことから、安定して検出できる磁気パターンが望まれていた。
【０００９】
前項の問題は、磁気センサだけでなく現金処理機が備える光学センサについても、同様に当てはまる。すなわち、仮に、図１（ａ）に示す磁気パターン（Ｊ）が赤外吸収材料で形成され、赤外透過画像又は赤外反射画像を撮像する場合、磁気センサによる磁気出力の読取りにおける課題と同様に、撮像する画像が不安定になるという課題を有する。
【００１０】
また、特許文献２には、複数の領域に設ける識別マークの一部を、基材に対して傾斜して形成する構成の記載もあるが、特許文献２の識別マークは、前述のように、二つの領域に形成した凹凸形状の万線を重ねることで、高い触感（摩擦）を得ることを課題としたものであって、機械読取りに関するものではなく、２方向からの機械読取性を安定させることについての具体的な内容は示唆されておらず、前述した問題を解決するものではなかった。
【００１１】
本発明は、前述した課題の解決を目的とするものであり、凸形状の画線により構成された識別マークを備えた識別マーク形成体において、識別マークの触感による識別性を有し、かつ、２方向からの機械読取性を向上させた識別マーク形成体を提供する。
【課題を解決するための手段】
【００１２】
本発明の識別マーク形成体は、平面形状が矩形で構成された基材の一部に、画線で構成された凸形状の識別要素が、基材を構成する各辺のいずれかの方向に沿って所定の間隔で複数配置されて成る識別マークを備えた識別マーク形成体であって、識別要素は機械読取性を有し、識別要素が配置される方向に対して、直交する方向への正射影が、隣同士の識別要素において接する又は一部重なることを特徴とする。
【００１３】
また、本発明の識別マーク形成体は、識別要素が、基材に対して傾斜した直線状の画線により構成されたことを特徴とする。
【発明の効果】
【００１４】
本発明の識別マーク形成体は、凸形状の画線により構成された識別マークによって、触感による識別が可能であるとともに、現金処理機等において２方向から安定した機械読取りが可能である。
【図面の簡単な説明】
【００１５】
【図１】従来の貴重印刷物に形成された磁気パターンと、磁気センサによる検出パターンを示す図である。
【図２】磁気パターンを、別の読取方向から得られる検出パターンを示す図である。
【図３】従来の貴重印刷物に形成された磁気パターンにおいて、検出不良となる例を示す図である。
【図４】本発明の識別マーク形成体の概要を示す図である。
【図５】識別マークの平面図である。
【図６】識別マークの断面図である。
【図７】基材に形成される識別マークの配置の例を示す図である。
【図８】識別マークが形成された領域の拡大図である。
【図９】識別マークを構成する識別要素の別の例を示す図である。
【図１０】実施例の識別マーク形成体の構成を示す図である。
【発明を実施するための形態】
【００１６】
本発明の機械読取特性を有する識別マーク形成体（１）（以下「識別マーク形成体」という。）の概要について説明する。図４は、本発明の識別マーク形成体（１）の平面図であり、識別マーク形成体（１）は、基材（２）の一部に、凹凸を施すことで形成された識別マーク（３）を備えて成る。なお、識別マーク（３）の詳細な構成については、後述する。
【００１７】
図４において識別マーク形成体（１）は、額面（４）、記番号（５）が印刷された商品券の例を示しているが、識別マーク形成体（１）は、銀行券、諸証券等、同じ製品の中で価値が異なる複数の券種を有するような製品であってもよい。また、識別マーク形成体（１）は、図４に示す識別マーク（３）、額面（４）及び記番号（５）の他に、印刷模様が施されていてもよい。
【００１８】
（基材）
識別マーク形成体（１）を形成する基材（２）には、凹版印刷、グラビア印刷、スクリーン印刷、インクジェット印刷等によって基材の上に凸形状のマークが形成可能な基材又はすき入れ、レーザ加工、エンボス加工によって基材自体に凹凸（凸形状のマーク）が形成可能な基材であれば特に限定はなく、紙、プラスチック、金属等を用いることができる。また、本発明において、基材（２）は、矩形の平面形状を有する。矩形の例としては、図４に示す長方形の他に正方形であってもよい（図示せず）。
【００１９】
（識別マーク）
図５は、図４に示す識別マーク（３）の一部を拡大した平面図であり、図６（ａ）は、図５のＣ−Ｃ’線における識別マーク（３）の断面図である。
【００２０】
識別マーク（３）は、図５に示すように、長さ（Ｐ）及び線幅（Ｗ）の画線であり、図６（ａ）に示すように、凸形状の識別要素（６）が、所定の間隔（Ｇ）で複数配置されて成る。また、識別要素（６）は、基材（２）を構成する各辺のいずれかの方向に沿って配置されるが、識別要素（６）の詳細な配置については後述する。本発明において、識別要素（６）の平面形状は、連続した画線で構成され、点線や破線のように、線の一部に空白がない構成とする。図５に示す識別要素（６）の平面形状は、直線で構成された例を示しているが、本発明において、識別要素（６）の平面形状は、画線の形態であれば直線に限定されるものではなく、その他の例については、後述する。
【００２１】
凸形状の識別要素（６）の加工の詳細としては、前述した凹版印刷、グラビア印刷、スクリーン印刷のように基材（２）の上に印刷することで識別要素（６）が形成される場合、基材（２）の上に凸形状の識別要素（６）が形成され、前述したすき入れ、レーザ加工、エンボス加工のように基材（２）自体を加工することで識別要素（６）が形成される場合は、基材（２）自体が部分的に除去されるか、加圧によって凹部が形成されることとなるが、結果的に形成された識別要素（６）は、凸形状となることから、本発明において、いずれの方法で形成された識別要素（６）も同じものとして説明する。
【００２２】
識別要素（６）の線幅（Ｗ）は、指で走査したときに一つ一つの識別要素（６）を識別するために、２００μｍから１，０００μｍまでの範囲で形成され、線幅（Ｗ）を４００μｍから６００μｍまでの範囲で形成すると、触感の強さが向上するため好ましい。
【００２３】
識別要素（６）の間隔（Ｇ）は、小さ過ぎると隣り合う識別要素（６）を弁別し難くなることから、１，０００μｍより大きい間隔（Ｇ）で識別要素（６）が配置される。また、間隔（Ｇ）が大き過ぎると、走査したときに指が捉える識別要素（６）の数が少なく、指感性が低下するとともに、識別マーク（３）自体の領域が大きくなることから、３，０００μｍ以下の間隔（Ｇ）で識別要素（６）が配置される。なお、識別要素（６）の間隔（Ｇ）が小さいと、指に接触する識別要素（６）の数は増えるが、一つの識別要素（６）から加わる力が弱くなり、逆に、識別要素（６）の間隔（Ｇ）が大きいと、一つの識別要素（６）から加わる力が大きくなるが、指に接触する識別要素（６）の数は少なくなり、両者のバランスを考慮すると、識別要素の間隔（Ｇ）を１，５００μｍから２，０００μｍまでの範囲で形成することが好ましい。また、識別要素（６）は、この範囲内であれば、同じ間隔（Ｇ）で配置してもよいし、部分的に異なる間隔（Ｇ）で配置してもよいが、指で走査した際に識別マーク（３）全体にわたって一定の触感を得るためには、同じ間隔（Ｇ）とすることが好ましい。
【００２４】
図６（ａ）に示す識別要素の高さ（Ｈ）は、識別要素（６）を識別するために、１５μｍより大きくする必要がある。また、識別要素の高さ（Ｈ）の上限は、前述した加工方法によって、基材（２）に凸形状が形成可能な範囲であれば特に限定はないが、インキの盛りで識別要素（６）を形成する場合、流通適性を考慮して６０μｍ以下で形成するのが好ましく、基材（２）自体を加工して識別要素（６）を形成する場合、流通適性を考慮して、基材（２）の厚さの半分以下で形成するのが好ましい。
【００２５】
図６（ａ）では、凸形状の識別要素（６）の断面が四角形で構成された状態を示しているが、本発明の識別要素（６）の形状はこれに限定されるものではなく、図６（ｂ）に示す台形、図６（ｃ）に示す半円、図６（ｄ）に示す三角形であってもよい。
【００２６】
本発明の識別マーク（３）は、機械読取りを可能とする特性を有し、具体例としては、前述した印刷方式により識別マーク（３）を形成する場合、磁性材料、赤外吸収材料又はそれら両方を含むインキで印刷する。この場合、磁気センサや赤外センサを用いることで識別マーク（３）を検出することができる。この時の印刷方式については、凹版印刷、グラビア印刷、スクリーン印刷及びインクジェット印刷等、基材（２）の上に識別マーク（３）を構成する凸形状の識別要素（６）が形成可能なものであれば、特に限定はない。なお、機械読取性のある材料としては、磁性材料と赤外吸収材料に限定されるものではなく、公知の材料を用いることができ、例えば、紫外線、可視光線又は赤外線の照射により発光する材料や、Ｘ線、γ線等の放射線を照射することで検出可能な材料であってもよい。
【００２７】
また、前述したように、すき入れやレーザ加工等により基材（２）自体を加工して識別マーク（３）を形成する場合は、識別マーク（３）自体の透過光量の差を光学センサで検出できるため、必ずしも、識別マーク（３）を形成するために磁性体や赤外吸収材料を用いる必要はない。
【００２８】
続いて、識別要素（６）の詳細な配置について説明する。段落（００２１）で説明したように、識別要素（６）は、基材（２）を構成する各辺のいずれかの方向に沿って配置され、図７（ａ）及び図７（ｂ）では、辺（Ｌ２）の方向に沿って配置された状態を示しており、図７（ｃ）では、辺（Ｌ１）の方向に沿って配置された状態を示している。なお、図７（ａ）及び図７（ｂ）は、識別要素（６）が辺（Ｌ２）に隣接して配置された例であるが、辺（Ｌ２）と隣接することなく、図７（ｄ）に示すように、辺（Ｌ２）から離れた位置に配置されてもよい。
【００２９】
さらに、直線の識別要素（６）によって構成された識別マーク（３）の配置については、基材（２）に対して、傾斜した配置となっている。本発明において、「基材（２）に対して傾斜した配置」とは、図７（ａ）に示すように、平面形状が矩形で構成された基材（２）において、基材（２）を構成する各辺（Ｌ１、Ｌ２、Ｌ３、Ｌ４）に対して、識別マーク（３）を構成する識別要素（６）が傾いている状態のことであり、各辺（Ｌ１、Ｌ２、Ｌ３、Ｌ４）に対して、識別要素（６）が平行でなければよい。図７（ａ）では、識別要素（６）が、辺（Ｌ２）に向かって右上がりに傾斜した配置を示しているが、図７（ｂ）に示すように、識別要素（６）が、辺（Ｌ２）に向かって右下がりに傾斜した配置でもよいし、図７（ｃ）に示すように、辺（Ｌ１）に向かって右上がりに傾斜した配置でもよい。なお、図７（ｃ）は、辺（Ｌ１）に向かって右上がりに傾斜した配置の例であるが、左上がりに傾斜した配置でもよい（図示せず）。
【００３０】
本発明において、識別マーク（３）は、識別マーク（３）の上を磁気又は光学センサが走査する際に、その読取部の走査位置が隣り合う識別要素（６）の間の隙間に入り込んで識別要素（６）の上を通過できなくなることを防ぐため、識別要素（６）間に空白が生じないようにする。以下、「識別要素間に空白が生じない」という構成について、図７（ａ）に示す識別マーク形成体（１）の配置を基に説明する。
【００３１】
図８（ａ）及び図８（ｂ）は、図７（ａ）に示す識別マーク（３）が形成された領域の拡大図であり、辺（Ｌ２）に向かって、右上がりに傾斜した識別要素（６）が、辺（Ｌ２）と平行な方向に一定の間隔（Ｇ）で複数配置されて識別マーク（３）が構成された状態を示している。なお、図８（ａ）及び図８（ｂ）において示す符号（α）は、識別要素（６）の傾斜角度を示すものであり、本発明において、識別要素の傾斜角度（α）とは、識別要素（６）と各辺（Ｌ１、Ｌ２、Ｌ３、Ｌ４）のいずれかが成す角度である。図８（ａ）及び図８（ｂ）の例では、識別要素（６）と辺（Ｌ２）の成す角度を識別要素の傾斜角度（α）として図示している。具体的な識別要素（６）の傾斜角度（α）の範囲については、後述する。
【００３２】
本発明において、識別マーク（３）が、「識別要素間に空白が生じない」構成の一つ目は、図８（ａ）に示すように、任意の識別要素（６）及びその両隣の識別要素（６′、６″）において、識別要素（６）から辺（Ｌ２）に対して描画した正射影（７）の両端が、両隣の識別要素（６′、６″）からそれぞれ辺（Ｌ２）に対して描画した正射影（７′、７″）の一部と重なっている構成である。なお、本発明において、正射影する方向は、識別要素（６）が一定の間隔（Ｇ）で配置される方向に対して、直交方向であり、図８（ａ）においては、辺（Ｌ２）に向かう方向となるが、図７（ｃ）の識別マーク（３）の場合は、辺（Ｌ１）に向かう方向である。ここでは、任意の識別要素（６）について説明したが、識別マーク（３）全体にわたって、隣り合う識別要素（６）の正射影の一部が重なる構成となっている。
【００３３】
識別マーク（３）が、「識別要素間に空白が生じない」構成の二つ目は、図８（ｂ）に示すように、任意の識別要素（６）及びその両隣の識別要素（６′、６″）において、識別要素（６）から辺（Ｌ２）に対して描画した正射影（７）の両端が、両隣の識別要素（６′、６″）からそれぞれ辺（Ｌ２）に対して描画した正射影（７′、７″）の端点と接している構成である。なお、二つ目の「識別要素間に空白が生じない」構成においても、正射影する方向は、識別要素（６）が一定の間隔（Ｇ）で配置される方向に対して、直交方向であり、図８（ｂ）においては、辺（Ｌ２）に向かう方向となるが、図７（ｃ）の識別マーク（３）の場合は、辺（Ｌ１）に向かう方向である。ここでは、任意の識別要素（６）について説明したが、図８（ｂ）の構成においても、識別マーク（３）全体にわたって、隣り合う識別要素（６）の正射影の端部同士が接する構成となっている。
【００３４】
以上の構成の識別マーク（３）に対して、図８（ａ）及び図８（ｂ）に示すように、磁気又は光学センサ（Ｓ）の読取領域（Ｒ）が辺（Ｌ２）に直交する方向（Ｖ）に沿って走査する場合、隣り合う識別要素（６）において、正射影の一部が重なるか又は接することにより、読取領域（Ｒ）が、識別要素（６）同士の間に入り込むことなく、任意の識別要素（６）に必ず交差しながら識別マーク（３）を通過するようになる。
【００３５】
なお、磁気又は光学センサ（Ｓ）の読取領域（Ｒ）が、辺（Ｌ２）に平行な方向（図示せず）に沿って識別マーク（３）に交差するように走査する場合では、図１と同様に、読取領域（Ｒ）は各識別要素（６）に交差しながら識別マーク（３）を通過するようになる。
【００３６】
以上のように、本発明の識別マーク形成体（１）は、識別マーク（３）が「識別要素間に空白が生じない」構成とすることで、磁気又は光学センサ（Ｓ）の読取領域（Ｒ）は、その走査方向が辺（Ｌ２）に直交する方向（Ｖ）でも辺（Ｌ２）に平行な方向（図示せず）でも、必ず識別要素（６）と交差しながら識別マーク（３）の上を走査することになり、本発明の課題とする縦横２方向からの機械読取性を向上させることができる。また、識別マーク（３）の触感による識別については、識別要素（６）が一定の間隔（Ｇ）で配置される方向に指を走査することにより可能であり、例えば、図８に示す識別マーク（３）の場合、辺（Ｌ２）と平行に識別マーク（３）の上を走査することで、触感を得ることができる。
【００３７】
前述した、識別要素の傾斜角度（α）の範囲については、「識別要素間に空白が生じない」構成とするために、少なくとも０°より大きくする必要があり、９０°より小さくする必要がある。なお、識別要素（６）と各辺（Ｌ１、Ｌ２、Ｌ３、Ｌ４）のいずれかが成す角度は、一例として、図７（ａ）及び図７（ｂ）に示すように、鋭角となる方の角度（α）と、鈍角となる方の角度（β）があるが、本発明の識別要素の傾斜角度（α）の範囲は、鋭角となる方のことである。また、識別要素の傾斜角度（α）は、識別マーク（３）全体にわたって、一定の触感を得るために、同じ角度とすることが好ましいが、触感に影響のない範囲、具体的には、基準となる傾斜角度（α）±５°程度の範囲であれば、各識別要素（６）の傾斜角度（α）は、同じ角度でなくてもよい。
【００３８】
以上の説明は、図８に示すように、識別マーク（３）が辺（Ｌ２）に接しており、かつ、識別マーク（３）を構成する識別要素（６）が、辺（Ｌ２）に向かって右上がりに傾けて配置した例であるが、図７（ｂ）、図７（ｃ）及び図７（ｄ）に示すように、識別要素（６）の配置が異なる場合においても、前述した識別要素の傾斜角度（α）と、「識別要素間に空白が生じない」構成については共通する内容である。
【００３９】
以上の説明は、識別マーク（３）を構成する識別要素（６）の平面形状が直線で構成された例であるが、本発明において、識別要素間に空白が生じない構成であれば、識別要素（６）の平面形状は、直線に限定されるものではない。その構成として、例えば、図９（ａ）に示す折れ線や、図９（ｂ）に示す曲線としてもよい。また、図９（ａ）に示す識別マーク（３）の変形例として、図９（ｃ）に示すように、傾きが異なる識別要素（６）を離れた位置に配置し、傾きが異なる識別要素（６）間の正射影が重なる配置としてもよい。図９（ａ）から図９（ｃ）までに示す識別マーク（３）においても、識別要素（６）が所定の間隔（Ｇ）で配置される方向に対して、直交方向への正射影が、隣同士の識別要素（６）において重なる又は接する配置とすることにより、本発明の課題とする縦横２方向からの機械読取性を向上させることができる。ただし、図９（ａ）及び図９（ｂ）に示す構成の識別マーク（３）の場合、指を走査する位置によって触感が異なり、どの位置を走査しても同じ触感を得るという点では、図４に示すように識別要素（６）を直線で構成することが好ましい。
【００４０】
以下、前述の発明を実施するための形態に従って、具体的に作製した識別マーク形成体の実施例について詳細に説明するが、本発明はこの実施例に限定されるものではない。
【００４１】
（実施例１）
実施例の識別マーク形成体（１）の対象を商品券とし、三種類の券種に対応した識別マーク形成体（１）を作製した。
【００４２】
図１０（ａ）は、１，０００円の商品券を対象に作製した識別マーク形成体（１−１）であり、基材（２）の左辺（Ｌ４）の中央に識別マーク（３）を配置し、左辺（Ｌ４）から５ｍｍ離れた位置に識別マーク（３）を形成した。
【００４３】
本発明の識別マーク（３）を形成するに当たり、基材（２）は紙を用い、磁性体及び赤外吸収材料を含むインキによる凹版印刷によって識別マーク（３）を付与した。識別マーク（３）を構成する識別要素（６）について、幅（Ｗ）は４００μｍ、長さ（Ｐ）は８．０ｍｍ、間隔（Ｇ）は１，５００μｍ、傾斜角度（Ａ）は１５°、高さ（Ｈ）は４０μｍとし、９個の識別要素（６）を形成した。
【００４４】
図１０（ｂ）は、５，０００円の商品券を対象に作製した識別マーク形成体（１−２）であり、基材（２）の下辺（Ｌ３）の中央に識別マーク（３）を配置し、下辺（Ｌ３）から５ｍｍ離れた位置に識別マーク（３）を形成した。識別マーク形成体（１−２）に形成した識別マーク（３）の構成は、図１０（ａ）に示す識別マーク（３）が付与される位置及び識別要素（６）が配置される方向が異なるが、それ以外の幅（Ｗ）、長さ（Ｐ）等の構成については同じであるため、説明を省略する。
【００４５】
図１０（ｃ）は、１０，０００円の商品券を対象に作製した識別マーク形成体（１−３）であり、基材（２）の下辺（Ｌ３）の右端に識別マーク（３）を配置し、下辺（Ｌ３）から５ｍｍ離れた位置に識別マーク（３）を形成した。識別マーク形成体（１−３）に形成した識別マーク（３）の構成は、図１０（ｂ）に示す識別マーク（３）が付与される位置が異なるが、それ以外の幅（Ｗ）、長さ（Ｐ）等の構成については同じであるため、説明を省略する。
【００４６】
実施例１で作製した識別マーク形成体（１−１、１−２、１−３）の識別マーク（３）は、「識別要素間に空白が生じない」構成としたことにより、磁気又は光学センサによって、良好な読取精度をもって機械読取りすることができる。実際に、識別マーク形成体（１−１、１−２、１−３）について磁気及び光学センサを用いて機械読取りを行ったところ、磁気及び光学センサの読取領域が識別マーク（３）の上を走査する際に、読取領域の走査方向が識別マーク（３）に対して縦横両方向においても、安定した磁気及び光学の信号を検出することができた。
【００４７】
実施例１で作製した識別マーク形成体（１−１、１−２、１−３）は、識別マーク（３）を形成する位置を識別マーク形成体（１−１、１−２、１−３）ごとで異ならせることで、機械読取機による券種識別や真偽判別を容易に行うことができた。
【００４８】
また、実施例１で作製した識別マーク形成体（１−１、１−２、１−３）の識別マーク（３）は、手指で触れた際に良好な指感性を得ることを確認した。さらに、識別マーク（３）を形成する位置を識別マーク形成体（１−１、１−２、１−３）ごとで異ならせることで、触感による券種識別を容易に行うことができた。
【符号の説明】
【００４９】
１  識別マーク形成体
２  基材
３  識別マーク
４  額面
５  記番号
６、６′、６″  識別要素
７、７′、７″  識別要素の正射影
Ｗ  識別要素の幅
Ｐ  識別要素の長さ
Ｇ  識別要素の間隔
Ｈ  識別要素の高さ
Ｌ１、Ｌ２、Ｌ３、Ｌ４  基材の各辺
α  識別要素の傾斜角度
β  鈍角となる識別要素の傾斜角度
Ｔ  貴重印刷物
Ｉ  凹版画線
Ｊ  磁気パターン
Ｓ  磁気センサ、光学センサ
Ｒ  読取領域
Ｖ、Ｖ１、Ｖ２  読取領域の走査方向
【図１】
2019014205.tif 000003
【図２】
2019014205.tif 000004
【図３】
2019014205.tif 000005
【図４】
2019014205.tif 000006
【図５】
2019014205.tif 000007
【図６】
2019014205.tif 000008
【図７】
2019014205.tif 000009
【図８】
2019014205.tif 000010
【図９】
2019014205.tif 000011
【図１０】
2019014205.tif 000012